(57)【特許請求の範囲】
【請求項１】
対向する第一針床と第二針床を有する横編機を用いて、編成終了後に編地から取り除かれる抜き糸編目列のウエール方向に連続して編成される編出し部を備える編地の編成方法において、
前記第一針床および前記第二針床の少なくとも一方の針床に係止される前記抜き糸編目列のウエール方向に連続する編出し編目列を編成する工程Ａと、
前記編出し編目列を、編幅方向の一端側から見て奇数番目の編目からなるグループと偶数番目の編目からなるグループとに分け、いずれか一方のグループを第一グループ、他方のグループを後工程で前記第一グループの裏側に交差する第二グループと規定し、前記第一グループと前記第二グループとを編幅方向に相対的に移動させることで、前記編出し編目列の隣接する奇数番目の編目と偶数番目の編目とを編幅方向に交差させ、前記第一グループと前記第二グループとで構成される前記編出し部を形成する工程Ｂと、を行い、
前記編出し部のウエール方向に続くベース編地部の編成を開始する編地の編成方法。
【請求項２】
前記ベース編地部をリブ組織とする際、
前記リブ組織の表目の少なくとも一部を、前記編出し部を構成する前記第一グループのウエール方向に続けて編成する請求項１に記載の編地の編成方法。
【請求項３】
前記第一針床と前記第二針床のそれぞれに前記抜き糸編目列が係止された状態のとき、
前記第一針床および前記第二針床のいずれか一方の針床に係止される前記抜き糸編目列のウエール方向に連続する前記編出し部を編成してから、他方の針床に係止される前記抜き糸編目列のウエール方向に連続する前記編出し部を編成することで、前記第一針床に形成される前記編出し部と前記第二針床に形成される前記編出し部とを筒状に繋げ、
その後、前記第一針床側の前記編出し部のウエール方向に続く前記ベース編地部と、前記第二針床側の前記編出し部のウエール方向に続く前記ベース編地部とを筒状に編成する請求項１または請求項２に記載の編地の編成方法。
【請求項４】
編出し部と、前記編出し部のウエール方向に連続するベース編地部とを備える編地において、
前記編出し部は、複数の編目からなる編出し編目列で構成されており、
前記編出し編目列の編幅方向の一端側から見て、前記編出し編目列における隣接する奇数番目の編目と偶数番目の編目とが編幅方向に交差してなるユニットが複数並ぶことで、前記編出し部が形成されている編地。
【発明の詳細な説明】
【技術分野】
【０００１】
本発明は、抜き糸で構成される抜き糸編目列のウエール方向に連続して編成される編出し部を備える編地の編成方法、およびその編地の編成方法で編成した編出し部を備える編地に関する。
【背景技術】
【０００２】
横編機を用いて編地を編成する場合、横編機の針床に抜き糸を用いて抜き糸編目列を編成し、その抜き糸編目列のウエール方向に連続して編出し部を編成する。編出し部の編成には、抜き糸とは別の編糸を用いる。その編出し部のウエール方向に続けて、編地の本体となるベース編地部を編成する。編出し部を編成することで、ベース編地部の編目が解れることなくベース編地部を編成することができる。ここで、抜き糸編目列は、編出し部を編成するための起点として編成されるもので、編地を編成し終えた後に編地から外される。つまり、完成した編地においては、編出し部が編地の始端となる。
【０００３】
編出し部を編成する技術として、例えば特許文献１の記載の技術が知られている。特許文献１では、前後の針床にジグザグ状に編目を編成し、そのジグザグ状の編目からなる編目列に袋編成を行なって、編出し部を形成している。
【先行技術文献】
【特許文献】
【０００４】
【特許文献１】特開昭６０−１９４１５４号公報
【発明の概要】
【発明が解決しようとする課題】
【０００５】
従来の編出し部は、二層状態の袋編みによって編成された部分を有するため、ベース編地部よりも編出し部が厚くなり易い。また、袋編みによって編成された部分によって編出し部が収縮し難くなっているため、ベース編地部をリブ組織などの編幅方向に収縮し易い編組織とした場合、ベース編地部の編出し部側が編幅方向に拡がったようになり易い。
【０００６】
本発明は、上記事情に鑑みてなされたものであり、その目的の一つは、編出し部が厚くならず、しかも編幅方向に拡がり難い編地を編成できる編地の編成方法を提供することにある。また、本発明の別の目的は、薄くて、編幅方向に拡がり難い編出し部を備える編地を提供することにある。
【課題を解決するための手段】
【０００７】
本明細書において、『表側』とは、編地の使用時に編地の表面となる側、『裏側』とは、編地の使用時に編地の裏面となる側のことである。例えば、筒状編地の場合、筒の外側が『表側』、筒の内側が『裏側』である。また、『表目』とは、編地を表側から見たときに、裏側から表側に向って旧編目から引き出される編目、『裏目』とは、編地を表側から見たときに、表側から裏側に向って旧編目から引き出される編目のことである。
【０００８】
本発明は、対向する第一針床と第二針床を有する横編機を用いて、抜き糸編目列のウエール方向に連続して編出し部を編成する編地の編成方法に係る。本発明の編地の編成方法は、以下の工程Ａ、工程Ｂを行なって前記編出し部を形成し、前記編出し部のウエール方向に続くベース編地部の編成を開始する編地の編成方法である。
・前記第一針床および前記第二針床の少なくとも一方の針床に係止される前記抜き糸編目列のウエール方向に連続する編出し編目列を編成する工程Ａ。
・前記編出し編目列を、編幅方向の一端側から見て奇数番目の編目からなるグループと偶数番目の編目からなるグループとに分け、いずれか一方のグループを第一グループ、他方のグループを後工程で前記第一グループの裏側に交差する第二グループと規定し、前記第一グループと前記第二グループとを編幅方向に相対的に移動させることで、前記編出し編目列の隣接する奇数番目の編目と偶数番目の編目とを編幅方向に交差させ、前記第一グループと前記第二グループとで構成される前記編出し部を形成する工程Ｂ。
【０００９】
ここで、第一グループと第二グループとを編幅方向に相対的に移動させる手順として、次の手順を挙げることができる。以下の例示はいずれも、一方の針床に係止される抜き糸編目列のウエール方向に続く編出し部を一方の針床に形成する例である。
・一方の針床で抜き糸編目列のウエール方向に続く編出し編目列を編成し、第一グループを一方の針床から動かさず、第二グループを他方の針床を経由させ、一方の針床の編幅方向の一端側あるいは他端側に移動させる。
・抜き糸編目列のウエール方向に続く編出し編目列を他方の針床に係止された状態とし、その状態から、一方の針床に第一グループ、第二グループの順で移動させる。その際、第一グループの編幅方向の係止位置を編幅方向の一端側（他端側）にずらし、第二グループの編幅方向の係止位置を編幅方向の他端側（一端側）にずらす。
・編出し編目列が他方の針床に係止された状態から、一方の針床に第一グループ、第二グループの順で移動させる。その際、第一グループの編幅方向の係止位置を変化させず、第二グループの編幅方向の係止位置を、編幅方向の一端側または他端側にずらす。
・編出し編目列が他方の針床に係止された状態から、一方の針床に第一グループ、第二グループの順で移動させる。その際、第一グループの編幅方向の係止位置を、編幅方向の一端側または他端側にずらし、第二グループの編幅方向の係止位置を変化させない。
・編出し編目列が他方の針床に係止された状態から、一方の針床に第一グループ、第二グループの順で移動させる。その際、第一グループの編幅方向の係止位置を、編幅方向の一端側（他端側）にずらし、第二グループの編幅方向の係止位置を、第一グループと同じ方向に、第一グループよりも大きくずらす、あるいは小さくずらす。
【００１０】
本発明の編地の編成方法の一形態として、前記ベース編地部をリブ組織とする際、前記リブ組織の表目の少なくとも一部を、前記編出し部を構成する前記第一グループのウエール方向に続けて編成する形態を挙げることができる。
【００１１】
例えば、ベース編地部を１×１のリブ組織や１×３のリブ組織とする場合、リブ組織の全ての表目が第一グループのウエール方向に連続するように編成できる。ベース編地部を２×２のリブ組織や２×３のリブ組織、３×１のリブ組織とする場合、奇数番目の編目からなるグループと偶数番目の編目からなるグループのいずれを第一グループに選んでも、リブ組織の表目の少なくとも一部は、第一グループの編目のウエール方向に連続する。
【００１２】
本発明の編地の編成方法の一形態として、前記第一針床と前記第二針床のそれぞれに前記抜き糸編目列が係止された状態のとき、前記第一針床および前記第二針床のいずれか一方の針床に係止される前記抜き糸編目列のウエール方向に連続する前記編出し部を編成してから、他方の針床に係止される前記抜き糸編目列のウエール方向に連続する前記編出し部を編成することで、前記第一針床に形成される前記編出し部と前記第二針床に形成される前記編出し部とを筒状に繋げる形態を挙げることができる。その場合、前記第一針床側の前記編出し部のウエール方向に続く前記ベース編地部と、前記第二針床側の前記編出し部のウエール方向に続く前記ベース編地部とを筒状に編成する。
【００１３】
本発明の編地は、編出し部と、前記編出し部のウエール方向に連続するベース編地部とを備える編地であって、前記編出し部は、複数の編目からなる編出し編目列で構成されており、前記編出し編目列の編幅方向の一端側から見て、前記編出し編目列における隣接する奇数番目の編目と偶数番目の編目とが編幅方向に交差してなるユニットが複数並ぶことで、前記編出し部が形成されている。
【発明の効果】
【００１４】
本発明の編地の編成方法によれば、編出し部を編成する際に袋編みを行う必要がなく、編出し部を薄くすることができる。また、袋編みによって編成された部分を有さない編出し部は、後述する実施形態に示すように、各編糸が８の字状に繋がることで形成されているため、伸縮性に優れる。伸縮性に優れる編出し部は、ベース編地部の編幅方向の収縮に伴って収縮するため、ベース編地部の編出し部側が編幅方向に拡がり難い。
【００１５】
編地を表側から見たときに編幅方向に表目と裏目が所定のパターンで繰り返されるリブ組織では、編幅方向に隣接する表目と裏目との境界に前後差による凹凸ができる。一方、本発明の編地の編成方法では、第一グループと第二グループとを相対的に移動させて、第一グループの編目を第二グループの編目の表側に交差させているため、第一グループの編目が第二グループの編目よりも編地の表側に出っ張り、第一グループの編目と第二グループの編目の間に凹凸ができる。そのため、ベース編地部をリブ組織で編成する場合、第一グループの編目のウエール方向に続けてリブ組織の表目の少なくとも一部を編成することで、リブ組織の凹凸に沿った編出し部となり、編出し部が綺麗に仕上がる。
【００１６】
筒状のベース編地部を編成する場合、編出し部も筒状に編成する。この筒状の編出し部を本発明の編地の編成方法で編成することで、筒状のベース編地部の始端部（編出し部がある端部）がラッパ状に拡がることを効果的に抑制することができる。
【００１７】
本発明の編地は、本発明の編地の編成方法で編成された編出し部を備えている。本発明の編地の編成方法で編成された編出し部は薄く、編幅方向に拡がり難いため、そのような編出し部を備える本発明の編地は、見栄えが良い。
【図面の簡単な説明】
【００１８】
【図１】実施形態１に示す編地の編成方法の編成工程図である。
【図２】図１の編成工程図に従って編成された編出し部を含む編地のループ図である。
【図３】実施形態２に示す編地の編成方法の編成工程図である。
【発明を実施するための形態】
【００１９】
＜実施形態１＞
実施形態１では、４枚ベッド横編機を用いて、筒状の編出し部を編成する例を説明する。なお、編成に使用する横編機は２枚ベッド横編機でも良く、また編出し部も筒状でなくても構わない。
【００２０】
図１は、編出し部を編成するための編成工程図である。図１の『Ｓ＋数字』は編成工程の番号を示し、逆三角マークは給糸口９を、ＦＤは下側前針床を、ＦＵは上側前針床を、ＢＤは下側後針床を、ＢＵは上側後針床を示す。大文字アルファベットは、編針の位置を示す。また、図中の矢印は編目の移動を示し、各編成工程で実際に編成動作が行なわれる部分は太線で示す。
【００２１】
Ｓ０には、ＦＤの編針Ａ〜ＬとＢＤの編針Ａ〜Ｌにそれぞれ、抜き糸で編成された抜き糸編目列１，１が係止された状態が示されている。この状態からＢＤの抜き糸編目列１のウエール方向に続く編出し部２（Ｓ３参照）を編成する。
【００２２】
Ｓ１では、ＢＤ（一方の針床）に係止される抜き糸編目列１を、対向するＦＵ（他方の針床）に移動させた後、給糸口９を紙面右側に移動させ、抜き糸編目列１のウエール方向に続く編出し編目列１０を編成する（工程Ａ相当）。編出し部２を形成するために編成する編目列はこの編出し編目列１０のみであり、このＳ１以降で従来技術のように袋編みを行う必要はない。編出し編目列１０の編糸は、抜き糸とは異なる編糸である。ここで、ＢＤで編出し編目列１０を編成してから、編出し編目列１０をＦＵに移動させても構わない。但し、編出し編目列１０の編目は後工程で複数回移動されるので、編出し編目列１０の編目にかかる負担を軽減する意味で、Ｓ１に示すように抜き糸編目列１をＦＵに移動させてから編出し編目列１０を編成することが好ましい。
【００２３】
Ｓ１の後、Ｓ２を行うにあたり、概念上、編出し編目列１０を二つのグループに分ける。具体的には、編出し編目列１０を、編幅方向の一端側（紙面左側）から見て奇数番目の編目からなるグループと、偶数番目の編目からなるグループとに分ける。本例では、ＦＵの編針Ａ，Ｃ，Ｅ，Ｇ，Ｉ，Ｋに係止される奇数番目の編目からなるグループを第一グループＧ１と規定し、ＦＵの編針Ｂ，Ｄ，Ｆ，Ｈ，Ｊ，Ｌに係止される偶数番目の編目からなるグループを第二グループＧ２と規定する。第二グループＧ２は、後工程で第一グループＧ１のＢＤ側から見た裏側に交差される。
【００２４】
Ｓ２では、ＦＵの編針Ａ，Ｃ，Ｅ，Ｇ，Ｉ，Ｋに係止される第一グループＧ１を、ＢＤの編針Ｂ，Ｄ，Ｆ，Ｈ，Ｊ，Ｌに移動させる（工程Ｂの一部）。つまり、第一グループＧ１の編目を編幅方向の他端側（右側）に一針分、移動させている。
【００２５】
Ｓ３では、第一グループＧ１と第二グループＧ２とを編幅方向に相対的に移動させることで、編出し編目列１０における隣接する奇数番目の編目と偶数番目の編目とを編幅方向に交差させる（工程Ｂの残部）。具体的には、ＦＵの編針Ｂ，Ｄ，Ｆ，Ｈ，Ｊ，Ｌに係止される第二グループＧ２を、ＢＤの編針Ａ，Ｃ，Ｅ，Ｇ，Ｉ，Ｋに移動させている。つまり、第二グループＧ２の編目を編幅方向の一端側に一針分、移動させている。このＳ３によって、編出し編目列１０の隣接する奇数番目の編目と偶数番目の編目の編幅方向の位置が入れ代わり、奇数番目の編目と偶数番目の編目とが編幅方向に交差する。この隣接する編目が交差した第一グループＧ１と第二グループＧ２とで編出し部２が形成される。
【００２６】
Ｓ３が終了したら、今度はＦＤに係止される抜き糸編目列１に対して編出し部２を編成する。具体的には、ＦＤ，ＦＵを一方の針床、ＢＤ，ＢＵを他方の針床と見做し、Ｓ１〜Ｓ３と同様の編成を行なう。
【００２７】
以上説明した編成により、筒状に繋がった編出し部２が編成される。以降は、編出し部２のウエール方向に連続するベース編地部を編成する。本例では、ベース編地部を２×２のリブ組織とした。ベース編地部をリブ組織とする場合、リブ組織の表目の少なくとも一部を、第一グループＧ１の編目のウエール方向に連続するように編成することが好ましい。
【００２８】
図１の編成工程図に従って編成された編出し部２を備える編地１００のループ図を図２に示す。図２には、筒状の編地１００のうち、図１のＳ３に示される編出し部２を含む部分を筒状の編地１００の外側（表側）から見た状態が示されており、紙面奥側から手前側に向って旧編目から引き出される編目が表目であり、手前側から奥側に向って旧編目から引き出される編目が裏目である。図２中の大文字アルファベットは、図１の編針の位置と対応している。図２（Ａ）は、編成直後の編地１００のループ図であって、抜き糸編目列１のウエール方向に編出し部２が編成され、その編出し部２のウエール方向に２×２のリブ組織で構成されるベース編地部３が編成されている。
【００２９】
図２（Ａ）の状態から抜き糸編目列１を編出し部２から外すと、図２（Ｂ）に示すように、編出し部２の編目が変形し、最終的に図２（Ｃ）に示すように、ベース編地部３が解れないように、ベース編地部３のシンカーループの位置に編出し部２の編目が絡みつく。編出し部２は、複数の編目からなる編出し編目列１０で構成されている。具体的には、編出し編目列１０の編幅方向の一端側（紙面右側）から見て、編出し編目列１０における隣接する奇数番目の編目（図１の第一グループＧ１の編目）と偶数番目の編目（図１の第二グループＧ２の編目）とが編幅方向に交差してなるユニット２０が複数並ぶことで、編出し部２が形成されている。編出し編目列１０は一本の編糸で編成されているので、隣接する各ユニット２０は編糸で繋がっている。抜き糸編目列１を取り外しても編出し部２が解れてしまわずに保持されているのは、編出し部２を構成する編出し編目列１０における隣接する奇数番目の編目と偶数番目の編目とが交差し、その交差している編目同士が絡み合うからである。本例とは異なり、編出し編目列１０の隣接する編目が交差せずに絡んでいなければ、抜き糸編目列１を取り除くと編出し編目列１０が直線状に解れてしまう。
【００３０】
図２（Ｃ）に示すように、本例の編出し部２は薄く仕上がり、目立たないため、編地１００の見栄えが向上する。また、編出し部２は伸縮性に優れるため、筒状のベース編地部３が編幅方向に収縮しても、ベース編地部３の収縮に伴って編出し部２も収縮するので、ベース編地部３の編出し部２側がラッパ状に拡がり難い。ここで、図２のループ図では、説明の便宜上、編出し部２の各編目が分かるように各編目を大きく示しているが、実際には各編目は図示する状態よりも縮まった状態になっている。
【００３１】
図２に示すように、ベース編地部３を構成する２×２のリブ組織のうち、編針Ａ，Ｄ，Ｅ，Ｈ，Ｉ，Ｌで編成される編目は表目であり、編針Ｂ，Ｃ，Ｆ，Ｇ，Ｊ，Ｋで編成される編目は裏目である。表目と裏目との境界（編針Ａ−Ｂ，Ｃ−Ｄ，Ｅ−Ｆ，Ｇ−Ｈ，Ｉ−Ｊ，Ｋ−Ｌの境界）には凹凸ができる。一方、編出し部２の第一グループＧ１の編目が第二グループＧ２の編目よりも編地１００の表側に出っ張り、第一グループＧ１の編目と第二グループＧ２の編目の間に凹凸ができる。本例のリブ組織の表目のうち、編針Ｄ，Ｈ，Ｌで編成した表目は、第一グループＧ１の編目に連続して編成されるため、編針Ｃ−Ｄ，Ｇ−Ｈ，Ｋ−Ｌの境界で、リブ組織の凹凸と編出し部２の凹凸が揃い、編出し部２が綺麗に仕上がる。ここで、ベース編地部３を、第一グループＧ１に連続する表目と第二グループＧ２に連続する裏目とで構成される１×１のリブ組織とすれば、リブ組織の凹凸と編出し部２の凹凸が完全に一致し、編出し部２が非常に綺麗に仕上がる。
【００３２】
ここで、実施形態１では、Ｎを１以上の自然数としたとき、２Ｎ−１番目（奇数番目）の編目と、２Ｎ番目（偶数番目）の編目とを編幅方向に交差させたが、２Ｎ番目（偶数番目）の編目と、２Ｎ＋１番目（奇数番目）の編目とを編幅方向に交差させても良い。
【００３３】
また、実施形態１とは異なり、図１のＳ０の後に、ＦＤとＢＤとに筒状に繋がる一対の編出し編目列１０を編成した後、ＢＤ（またはＦＤ）の編出し編目列１０の隣接する編目の入れ替えを行ってから、ＦＤ（またはＢＤ）の編出し編目列１０の隣接する編目の入れ替えを行っても良い。
【００３４】
＜実施形態２＞
実施形態１の編出し編目列１０を複数回に分けて編成することもできる。例えば、図１のＳ１において、給糸口９から編糸を給糸させ、ＢＵの編針Ａ，Ｃ，Ｅ，Ｇ，Ｉ，Ｋに第一の編目列を編成する。次いで、給糸口９から編糸を給糸させる、あるいは給糸口９とは別の給糸口から編糸を給糸させ、編針Ｂ，Ｄ，Ｆ，Ｈ，Ｊ，Ｌに第二の編目列を編成する。第一の編目列を第一グループＧ１とし、第二の編目列を第二グループＧ２と考えれば、これら第一の編目列と第二の編目列を合わせたものを編出し編目列１０と見做すことができるので、以降はＳ２，Ｓ３を行なえば良い。
【００３５】
実施形態２の編地１００のループ図を図３に示す。この図３では、図２と異なり、編地１００を裏側（筒の内側）から見ている。図３に示すように、第一の編目列２１の編目と第二の編目列２２の編目とが編幅方向に交差することで、第一の編目列２１と第二の編目列２２とが絡み合い、解れない編出し部２を形成することができる。本例の場合、隣接する第一の編目列２１の編目と第二の編目列２２の編目とで、編出し部２の一つのユニット２０が形成される。この編出し部２は、従来の編出し部に比較して薄いが、確りとした編出し部２である。
【００３６】
本例では、ベース編地部３を１×１のリブ組織で構成しており、第一グループＧ１の編目のウエール方向に表目を、第二グループＧ２の編目のウエール方向に裏目を編成している。そのため、リブ組織の編幅方向の凹凸と、編出し部２の編幅方向の凹凸とが完全に一致するので、編出し部２の近傍が綺麗に仕上がる。なお、図３は編地１００を裏側から見た図であるため、紙面手前側から奥側に向って旧編目から引き出される編目が表目、奥側から手前側に向って旧編目から引き出される編目が裏目である。
【符号の説明】
【００３７】
１００  編地
１  抜き糸編目列
２  編出し部  ２０  ユニット  ２１  第一の編目列  ２２  第二の編目列
３  ベース編地部
１０  編出し編目列  Ｇ１  第一グループ  Ｇ２  第二グループ
【図１】
0006526594.tif 000002
【図２】
0006526594.tif 000003
【図３】
0006526594.tif 000004